(57)【要約】インテリジェント消毒方法及び消毒容器であって、該方法は、インテリジェント消毒命令が送信された後、前記消毒容器は、被消毒物を収納した物品収納室に消毒媒体と熱風を順に放出し、被消毒物を消毒し乾燥させる消毒及び乾燥ステップと、前記物品収納室に少量の熱風と少量の消毒媒体を連続的に放出し、前記被消毒物を予め設定された恒温温度及び無菌状態に維持し、前記恒温温度は前記被消毒物に人体が接触するときに温かいと感じ且つ不快感がないように設定される恒温無菌保存ステップと、を順に実行するステップを含む。該消毒容器は物品収納室、照明装置、加熱ダクト、マイクロプロセッサ及びメモリを備える。本発明は1回の制御だけで消毒、乾燥及び恒温無菌保存を自動的に完了することができ、使用が非常に簡単である。被消毒物の長時間放置による再汚染を回避できる。
2021520859.tif 000002
【特許請求の範囲】
【請求項１】
消毒容器に適用されるインテリジェント消毒方法であって、インテリジェント消毒命令が送信された後、前記消毒容器は、
被消毒物を収納した物品収納室に消毒媒体と熱風を順に放出し、被消毒物を消毒し乾燥させる消毒及び乾燥ステップと、
前記物品収納室に少量の熱風と少量の消毒媒体を連続的に放出し、前記被消毒物を予め設定された恒温温度及び無菌状態に維持し、前記恒温温度は前記被消毒物に人体が接触するときに温かいと感じ且つ不快感がないように設定される恒温無菌保存ステップと、を順に実行するステップを含むことを特徴とするインテリジェント消毒方法。
【請求項２】
前記消毒媒体は紫外線であることを特徴とする請求項1に記載のインテリジェント消毒方法。
【請求項３】
前記消毒容器は複数の異なる恒温温度が予め設定されており、恒温無菌保存ステップでは、前記消毒容器は環境温度を取得し、環境温度に応じて適切な恒温温度を適応的に選択することを特徴とする請求項1に記載のインテリジェント消毒方法。
【請求項４】
乾燥ステップは、
前記物品収納室に熱風を放出するステップと、
乾燥初期時間に達すると、前記物品収納室の室内温度を収集するステップと、
前記室内温度に対応する乾燥延長時間を自動的に取得するステップと、
前記乾燥延長時間に達するまで、前記物品収納室に熱風を継続的に放出するステップと、を含むことを特徴とする請求項3に記載のインテリジェント消毒方法。
【請求項５】
恒温無菌保存ステップでは、消毒容器が環境温度を取得する方法として、前記物品収納室の室内温度を用いて推定することを特徴とする請求項3に記載のインテリジェント消毒方法。
【請求項６】
恒温無菌保存ステップでは、消毒容器が環境温度を取得する方法として、前記物品収納室の室内温度を用いて推定することを特徴とする請求項4に記載のインテリジェント消毒方法。
【請求項７】
前記物品収納室の室内温度を用いて環境温度を推定するステップでは、用いられる室内温度は乾燥ステップで乾燥初期時間に達する時の温度であることを特徴とする請求項6に記載のインテリジェント消毒方法。
【請求項８】
被消毒物を収納する物品収納室と、
前記物品収納室に消毒媒体を放出する照明装置と、
前記物品収納室に熱風を放出する加熱ダクトと、
それぞれ前記照明装置と前記加熱ダクトに電気的に接続されるマイクロプロセッサと、
前記マイクロプロセッサが実行可能なコンピュータ可読プログラムを記憶するメモリと、を備える消毒容器であって、
前記コンピュータ可読プログラムが前記マイクロプロセッサに実行されると、前記消毒容器は請求項1に記載のインテリジェント消毒方法のステップを実行することを特徴とする消毒容器。
【請求項９】
前記消毒容器は複数の異なる恒温温度が予め設定されており、恒温無菌保存ステップでは、前記消毒容器は環境温度を取得し、環境温度に応じて適切な恒温温度を適応的に選択することを特徴とする請求項8に記載の消毒容器。
【請求項１０】
乾燥ステップは、
前記物品収納室に熱風を放出するステップと、
乾燥初期時間に達すると、前記物品収納室の室内温度を収集するステップと、
前記室内温度に対応する乾燥延長時間を自動的に取得するステップと、
前記乾燥延長時間に達するまで、前記物品収納室に熱風を継続的に放出するステップと、を含むことを特徴とする請求項9に記載の消毒容器。
【請求項１１】
恒温無菌保存ステップでは、消毒容器が環境温度を取得する方法として、前記物品収納室の室内温度を用いて推定することを特徴とする請求項9に記載の消毒容器。
【請求項１２】
前記物品収納室の室内温度を用いて環境温度を推定するステップでは、用いられる室内温度は乾燥ステップで乾燥初期時間に達する時の温度であることを特徴とする請求項11に記載の消毒容器。
【請求項１３】
前記消毒容器はポータブル紫外線消毒容器であることを特徴とする請求項8に記載の消毒容器。
【請求項１４】
前記加熱ダクトは内部循環式加熱ダクトであることを特徴とする請求項13に記載の消毒容器。
【請求項１５】
前記消毒媒体は紫外線であることを特徴とする請求項8に記載の消毒容器。
【発明の詳細な説明】
【技術分野】
【０００１】
本発明は消毒の技術分野に関し、特に食器、ベビー用品等の物品を消毒するインテリジェント消毒方法及び消毒容器に関する。
【背景技術】
【０００２】
生活水準の向上に伴い、人々は徐々に生活の質を重要視しつつある。消毒容器は例えば食器、ベビー用品などの様々な生活用品を消毒し、人々にとって必須の器具となっている。消毒方式によると、一般的に紫外線、オゾン等がある。
【０００３】
これらの消毒容器はほとんど被消毒物上の細菌を効果的に殺し、消毒の目的を達成することができる。しかしながら、以下の欠陥がある。1、使用が不便である。消毒容器のうち、乾燥機能がなく、被消毒物上に残留した水を除去できないものがあり、乾燥機能を具備するが、消毒と乾燥には別々手動制御が必要であるものもある。2、再汚染されやすく、食器、ベビー用品等の生活用品は消毒後直ちに使用されないことが多く、残留した細菌、又は環境中の細菌が繁殖してこれらの生活用品を再汚染してしまう。
【発明の概要】
【０００４】
本発明は、従来技術の上記欠陥を解決するために、インテリジェント消毒方法及び消毒容器を提供することを目的とする。
【０００５】
上記目的を達成するために、本発明の技術案は以下の通りである。
【０００６】
インテリジェント消毒方法であって、消毒容器に適用され、前記インテリジェント消毒方法は、インテリジェント消毒命令が送信された後、前記消毒容器は、
被消毒物を収納した物品収納室に消毒媒体と熱風を順に放出し、被消毒物を消毒し乾燥させる消毒及び乾燥ステップと、
前記物品収納室に少量の熱風と少量の消毒媒体を連続的に放出し、前記被消毒物を予め設定された恒温温度及び無菌状態に維持し、前記恒温温度は前記被消毒物に人体が接触するときに温かいと感じ且つ不快感がないように設定される恒温無菌保存ステップと、を順に実行するステップを含む。
【０００７】
好ましくは、前記消毒媒体は紫外線である。
【０００８】
好ましくは、前記消毒容器は複数の異なる恒温温度が予め設定されており、恒温無菌保存ステップでは、前記消毒容器は環境温度を取得し、環境温度に応じて適切な恒温温度を適応的に選択する。
【０００９】
好ましくは、乾燥ステップは、前記物品収納室に熱風を放出するステップと、乾燥初期時間に達すると、前記物品収納室の室内温度を収集するステップと、前記室内温度に対応する乾燥延長時間を自動的に取得するステップと、前記乾燥延長時間に達するまで、前記物品収納室に熱風を継続的に放出するステップと、を含む。
【００１０】
好ましくは、恒温無菌保存ステップでは、消毒容器が環境温度を取得する方法として、前記物品収納室の室内温度を用いて推定する。
【００１１】
好ましくは、前記物品収納室の室内温度を用いて環境温度を推定するステップでは、用いられる室内温度は乾燥ステップで乾燥初期時間に達する時の温度である。
【００１２】
消毒容器であって、
被消毒物を収納する物品収納室と、
前記物品収納室に消毒媒体を放出する照明装置と、
前記物品収納室に熱風を放出する加熱ダクトと、
それぞれ前記照明装置と前記加熱ダクトに電気的に接続されるマイクロプロセッサと、
前記マイクロプロセッサが実行可能なコンピュータ可読プログラムを記憶するメモリと、を備え、前記コンピュータ可読プログラムが前記マイクロプロセッサに実行されると、前記消毒容器は上記いずれか一項に記載のインテリジェント消毒方法のステップを実行する。
【００１３】
好ましくは、前記消毒容器はポータブル紫外線消毒容器である。
【００１４】
好ましくは、前記加熱ダクトは内部循環式加熱ダクトである。
【００１５】
従来技術に比べて、本発明は少なくとも以下の有益な効果を有する。
【００１６】
一回の制御だけで消毒、乾燥及び恒温無菌保存を自動的に完了することができ、インテリジェント化程度が高く、使用が非常に簡単である。
【００１７】
長時間放置による再汚染を回避できる。消毒乾燥完了後、少量の消毒媒体を連続的に放出することで、細菌の繁殖を抑制でき、それにより被消毒物の再汚染を回避できる。
【００１８】
消毒識別機能を具備する。消毒完了後、被消毒物が常に恒温温度に維持され、且つ該恒温温度がヒトに感知可能であるため、人々はこれらの被消毒物を使用する時、被消毒物の温度によって該被消毒物が消毒されたか否かを判断できる。
【００１９】
体験が優れる。被消毒物が常に恒温温度に維持され、且つ該恒温温度で人体が被消毒物に接触するときに温かいと感じるため、寒い環境では、これらの被消毒物を使用する時、冷たい感じがない。
【図面の簡単な説明】
【００２０】
【図１】図1はインテリジェント消毒方法のフローチャートである。
【図２】図2は消毒容器の物品収納室、照明装置及び加熱ダクトの構成模式図である。
【図３】図3は加熱ダクトにおけるファン及び空気通路の模式図である。
【発明を実施するための形態】
【００２１】
以下、図面及び実施例を参照して本発明をさらに説明する。
【００２２】
本インテリジェント消毒方法は消毒容器に適用される。
【００２３】
図1に示すように、本インテリジェント消毒方法は以下のステップを含む。
【００２４】
ユーザーはインテリジェント消毒命令を送信する。消毒容器に設置されたボタンによってインテリジェント消毒命令を送信してもよく、例えばリモコン、携帯電話のアプリケーションプログラム等のような遠隔制御方式によってインテリジェント消毒命令を送信してもよい。
【００２５】
インテリジェント消毒命令が送信された後、消毒容器は、
被消毒物を収納した物品収納室に消毒媒体を放出し、被消毒物を消毒する消毒ステップS1と、
被消毒物を収納した物品収納室に熱風を放出し、被消毒物を乾燥させ、被消毒物上に残留した水を除去する乾燥ステップS2と、
前記物品収納室に少量の熱風と少量の消毒媒体を連続的に放出し、前記被消毒物を予め設定された恒温温度及び無菌状態に維持し、前記恒温温度は前記被消毒物に人体が接触するときに温かいと感じ且つ不快感がないように設定される恒温無菌保存ステップS3と、を順に実行する。
【００２６】
ここで、消毒媒体は、紫外線、オゾン又はそれらの組合せであることが好ましいが、それらに限定されない。
【００２７】
以上からわかるように、上記消毒方法は少なくとも以下の利点を有する。1、一回の制御だけで消毒、乾燥及び恒温無菌保存を自動的に完了することができ、インテリジェント化程度が高く、使用が非常に簡単である。2、消毒乾燥完了後、少量の消毒媒体を連続的に放出することで、細菌の繁殖を抑制でき、それにより使用前の被消毒物の再汚染を回避できる。3、消毒完了後、被消毒物が常に恒温温度に維持され、且つ該恒温温度がヒトに感知可能であるため、人々はこれらの被消毒物を使用する時、被消毒物の温度によって該被消毒物が消毒されたか否かを判断できる。4、被消毒物が常に恒温温度に維持され、且つ該恒温温度で人体が被消毒物に接触するときに温かいと感じ、従って、寒い環境では、これらの被消毒物を使用する時、冷たい感じがなく、体験が優れる。
【００２８】
さらに、前記消毒容器は35℃及び38℃の2つの恒温温度が予め設定されており、恒温無菌保存ステップでは、前記消毒容器は環境温度を取得し、環境温度に応じて適切な恒温温度を適応的に選択し、具体的には、環境温度が15℃未満の場合、35℃の恒温温度を選択し、環境温度が15℃以上の場合、38℃の恒温温度を選択する。複数の恒温温度が異なる環境温度に対応することで、上記利点を保持するとともに、エネルギーを節約できる。なお、恒温温度は2種類に限定されず、上記指定した具体的な温度にも限定されず、本発明における恒温温度の設定ルールに従って、実際の必要に応じて柔軟に設定できる。
【００２９】
さらに、乾燥ステップは、前記物品収納室に熱風を放出するステップと、乾燥初期時間に達すると、前記物品収納室の室内温度を収集するステップと、前記室内温度に対応する乾燥延長時間を自動的に取得するステップと、前記乾燥延長時間に達するまで、前記物品収納室に熱風を継続的に放出するステップと、を含む。例示的な実施例では、乾燥初期時間は60分間とされ、乾燥延長時間は乾燥初期時間に達する時の室内温度に応じて、4段に分けられ、すなわち、室内温度が33℃以下の場合、乾燥延長時間は90分間であり、室内温度が33-40℃の場合、乾燥延長時間は60分間であり、室内温度が40-44℃の場合、乾燥延長時間は30分間であり、室内温度が44℃以上の場合、乾燥延長時間は0分間である。以上からわかるように、該乾燥方法は二段階式のインテリジェント乾燥方法である。固定時間で乾燥する方法に比べて、このような二段階式のインテリジェント乾燥方法は「過乾燥」によるエネルギー浪費を効果的に回避できるだけでなく、「乾燥不足」によって被消毒物上に残留した水を徹底的に除去できないことを回避できる。なお、上記段数、具体的な温度値及び時間値は例示的な実施例の1つであり、これらの値は必要に応じて柔軟に設定でき、これらの値は応用時、被消毒物をちょうど乾燥できるように、事前実験が必要である。
【００３０】
さらに、恒温無菌保存ステップでは、消毒容器が環境温度を取得する方法として、前記物品収納室の室内温度を用いて推定する。このように、環境温度を検出する温度センサを別途取り付けずに済むことで、回路を簡素化し、コストを削減させることができる。推定方法は予め実験によって取得された「室内温度-環境温度対応テーブル」によって環境温度を取得してもよく、例えば、室内温度から1つの定数を減算するなどの関連演算方法によって環境温度を取得してもよく、具体的な定数は事前の実験統計により取得される。
【００３１】
さらに、前記物品収納室の室内温度を用いて環境温度を推定するステップでは、用いられる室内温度は乾燥ステップで乾燥初期時間に達する時の温度である。このようにして、乾燥延長時間の決定と同一の室内温度を使用することで、手順を簡素化し、演算効率を最適化することができる。
【００３２】
図2、図3に示すように、本消毒容器は、被消毒物を収納する物品収納室1と、前記物品収納室1の壁に設置され、前記物品収納室1に紫外線（消毒媒体）を放出する照明装置6と、前記物品収納室1の壁に設置され、前記物品収納室1に熱風を放出する加熱ダクトと、を備え、該加熱ダクトは吸込み口2、吹出口3、空気通路7、ファン8及び電気発熱体（図示せず）を備え、ファン8は動作時、物品収納室1の空気を吸込み口2から空気通路7に吸入し、電気発熱体で加熱した後、吹出口3から物品収納室1に送り、物品収納室1内の被消毒物を乾燥させ、該加熱ダクトは、物品収納室1内の空気を循環させ、環境空気の導入がなく、すなわち、内部循環式加熱ダクトであり、加熱によって消費されるエネルギーを節約できる。
【００３３】
本消毒容器は、それぞれ前記照明装置6と前記加熱ダクトに電気的に接続されるマイクロプロセッサ（図示せず）と、前記マイクロプロセッサが実行可能なコンピュータ可読プログラムを記憶するメモリ（図示せず）とをさらに備え、前記コンピュータ可読プログラムが前記マイクロプロセッサに実行されると、前記消毒容器は上記インテリジェント消毒方法のステップを実行する。前記メモリは前記マイクロプロセッサのオンチップメモリであってもよく、外部の独立メモリであってもよい。
【００３４】
本消毒容器はポータブル紫外線消毒容器であり、家庭用だけでなく、職場や外出時にも使用できる。その消毒容器本体4に取っ手5が設置されている。
【００３５】
以上、具体的な実施例を参照して本発明を詳細に説明したが、これらの詳細な説明は当業者が本発明の内容を理解するためのものに過ぎず、本発明の保護範囲を限定するものではない。当業者が本発明の発想を逸脱せずに上記技術案に対して行う種々の修飾、同等置換等はすべて本発明の保護範囲内に含まれる。
【符号の説明】
【００３６】
1、物品収納室；2、吸込み口；3、吹出口；4、消毒容器本体；5、取っ手；6、照明装置（紫外線LED）;7、空気通路；8、ファン。
【図１】
2021520859.tif 000003
【図２】
2021520859.tif 000004
【図３】
2021520859.tif 000005
【国際調査報告】
2021520859.tif 000006
2021520859.tif 000007
2021520859.tif 000008
2021520859.tif 000009